(57)【要約】【課題】  人の指などの意図された検出面への接触の検出と、検出面に水滴等の液滴が付着し流れ落ちる場合の検出と、を判別することが容易であり、液滴が指として誤検出されることを効果的に抑えることができるタッチパネルとすること。【解決手段】  タッチパネル３は、ＬＣＤ１のカラーフィルタ側基板２と、カラーフィルタ側基板２上の所定の方向（例えば、行方向）に配置された複数本のセンサ線５ｘと、センサ線５ｘと電気的に絶縁された状態で、カラーフィルタ側基板２上にセンサ線５ｘと交差させて配置された複数本のドライブ線５ｙと、を有しており、カラーフィルタ側基板２が立てられた状態で使用可能なタッチパネル３であって、複数本のドライブ線５ｙは、立てられた状態のカラーフィルタ側基板２の縦方向に平行に配置されている。【選択図】  図１
2017156903.tif 000002
【特許請求の範囲】
【請求項１】
基板と、
前記基板上の所定の方向に配置された複数本のセンサ線と、
前記センサ線と電気的に絶縁された状態で、前記基板上に前記センサ線と交差させて配置された複数本のドライブ線と、を有しており、前記基板が立てられた状態で使用可能なタッチパネルであって、
前記複数本のドライブ線は、立てられた状態の前記基板の縦方向に平行に配置されているタッチパネル。
【請求項２】
前記複数本のドライブ線を間引き走査する走査制御部を有している請求項１に記載のタッチパネル。
【請求項３】
前記走査制御部は、間引かれる前記ドライブ線を走査周期毎に異ならせて間引き走査する請求項２に記載のタッチパネル。
【請求項４】
前記走査制御部は、前記ドライブ線を一本おきに間引き走査する請求項３に記載のタッチパネル。
【請求項５】
前記複数本のドライブ線は、配置のピッチが３ｍｍ乃至１０ｍｍである請求項１乃至請求項４のいずれか１項に記載のタッチパネル。
【発明の詳細な説明】
【技術分野】
【０００１】
本発明は、駆動パルス（ドライブパルス）が入力されるドライブ線と、検出パルス（センサパルス）を出力するセンサ線と、を有する静電容量検出型のタッチパネルに関する。
【背景技術】
【０００２】
従来のタッチパネルを備えた液晶表示装置（Liquid  Crystal  Display  ：ＬＣＤ）の例を図２（ａ），（ｂ）に示す。図２（ａ），（ｂ）は、従来のタッチパネル付ＬＣＤLT1，LT2の各側断面図である。図２（ａ）のタッチパネル付ＬＣＤLT1は、液晶表示パネルL1とタッチパネルT1とを個別に作製し、液晶表示パネルL1のカラーフィルタ側基板３６の液晶３５側の面と反対側の面（図２（ａ）では上面）に、高透明性接着剤転写テープ（Optically  Clear  Adhesive  Tape  ：ＯＣＡ）等を介してタッチパネルT1を載置し接合することによって構成される（例えば、特許文献１を参照）。
【０００３】
液晶表示パネルL1は、薄膜トランジスタ（Thin  Film  Transistor  ：ＴＦＴ）素子を含む画素部３４が多数形成されたガラス基板等から成るアレイ側基板３１と、カラーフィルタ及びブラックマトリクスが形成されたガラス基板等から成るカラーフィルタ側基板３６とを互いに対向させて、それらの基板を所定の間隔でもって貼り合わせ、それらの基板間に液晶３５を充填、封入させることによって作製される。また、一般的に、カラーフィルタ側基板３６は、ＴＦＴ素子３２及び画素電極３３から成る画素部３４に対向する側の面、すなわち液晶３５側の面の全面に、画素電極３３との間で液晶３５に印加する垂直電界を形成するための共通電極３９が形成されている。この共通電極３９は、ＩＰＳ（In-Plane  Switching）方式のＬＣＤの場合、アレイ側基板３１の画素部３４に画素電極３３と同じ面内に形成されることによって横電界を生じさせるものとなる。また共通電極３９は、ＦＦＳ（Fringe  Field  Switching）方式のＬＣＤの場合、アレイ側基板３１の画素部３４に画素電極３３の上方または下方に絶縁層を挟んで形成されることによって端部電界（フリンジ電界）を生じさせるものとなる。また、カラーフィルタ側基板３６の液晶３５側の面には、各画素部３４に対応する赤（Ｒ）、緑（Ｇ）、青（Ｂ）のカラーフィルタ３７が形成されており、各画素部３４を通過する光が相互に干渉することを防ぐブラックマトリクスがカラーフィルタ３７の外周を囲むように形成されている。なお、カラーフィルタ層３７を覆ってオーバーコート層３８が形成されており、オーバーコート層３８上に共通電極３９が形成されている。
【０００４】
また、アレイ側基板３１の液晶３５側の面の縁部全周と、カラーフィルタ側基板３６の液晶３５側の面の縁部全周とが、シリコーン樹脂、エポキシ樹脂、合成ゴム等から成る封止部材４０によって接着、封止されている。さらに、アレイ側基板３１の液晶３５側の面における封止部材４０から外部に突出した部位には、ＩＣ，ＬＳＩ等から成る、ゲート信号線駆動回路、画像信号線駆動回路としての駆動回路素子４１がＣＯＧ（Chip  On  Glass）方式等の実装方法により搭載されており、さらに駆動回路素子４１に外部から駆動信号、制御信号を入出力するフレキシブル印刷回路基板（Flexible  Printed  Circuits  ：ＦＰＣ）４４が、上記突出した部位の端部に設置されている。なお、４２はＬＣＤのゲート信号線、画像信号線と駆動回路素子４１を接続等するための引き回し配線、４３は駆動回路素子４１とＦＰＣ４４の回路配線とを電気的に接続するための端子電極である。
【０００５】
タッチパネルT1は、下側基板５１の一面にインジウム錫酸化物（Indium  Tin  Oxide  ：ＩＴＯ）等の透明電極から成る検出電極５２が形成されており、検出電極５２上に保護基板としての上側基板５３が設けられている。また、検出電極５２と外部の検出手段等との間で検出信号等の入出力を行うためのＦＰＣ５６が、下側基板５１の上面の端部に設置されている。なお、５４は検出電極５２と端子電極５５を接続するための引き回し配線、５５は引き回し配線５４とＦＰＣ５６の回路配線とを電気的に接続するための端子電極である。
【０００６】
図２（ａ）に示したタッチパネル付ＬＣＤLT1は、液晶表示パネルL1とタッチパネルT1を積層して構成されるために、厚みが厚くなりやすい。そこで、薄型化するために、図２（ｂ）に示すように、タッチパネルの検出電極が液晶表示パネルL2のカラーフィルタ側基板の表面に直接的に形成されたタッチパネル付ＬＣＤLT2が提案されている。液晶表示パネルL2は、アレイ側基板６１とカラーフィルタ側基板６６とを互いに対向させて、それらの基板を所定の間隔でもって貼り合わせ、それらの基板間に液晶６５を充填、封入させることによって作製される。また、一般的に、カラーフィルタ側基板６６は、ＴＦＴ素子６２及び画素電極６３から成る画素部６４に対向する側の面、すなわち液晶６５側の面の全面に、画素電極６３との間で液晶６５に印加する垂直電界を形成するための共通電極６９が形成されている。この共通電極６９は、ＩＰＳ方式のＬＣＤの場合、アレイ側基板６１の画素部６４に画素電極６３と同じ面内に形成されることによって横電界を生じさせるものとなる。また共通電極６９は、ＦＦＳ方式のＬＣＤの場合、アレイ側基板６１の画素部６４に画素電極６３の上方または下方に絶縁層を挟んで形成されることによって端部電界（フリンジ電界）を生じさせるものとなる。また、カラーフィルタ側基板６６の液晶６５側の面には、各画素部６４に対応する赤（Ｒ）、緑（Ｇ）、青（Ｂ）のカラーフィルタ６７が形成されており、各画素部６４を通過する光が相互に干渉することを防ぐブラックマトリクスがカラーフィルタ６７の外周を囲むように形成されている。なお、カラーフィルタ層６７を覆ってオーバーコート層６８が形成されており、オーバーコート層６８上に共通電極６９が形成されている。
【０００７】
また、アレイ側基板６１の液晶６５側の面の縁部全周と、カラーフィルタ側基板６６の液晶６５側の面の縁部全周とが、封止部材７０によって接着、封止されている。さらに、アレイ側基板６１の液晶６５側の面における封止部材７０から外部に突出した部位には、ＩＣ，ＬＳＩ等から成る、ゲート信号線駆動回路、画像信号線駆動回路としての駆動回路素子７１がＣＯＧ方式等の実装方法により搭載されており、さらに駆動回路素子７１に外部から駆動信号、制御信号を入出力するＦＰＣ７４が、上記突出した部位の端部に設置されている。なお、７２は液晶表示パネルL2のゲート信号線、画像信号線と駆動回路素子７１を接続等するための引き回し配線、７３は駆動回路素子７１とＦＰＣ７４の回路配線とを電気的に接続するための端子電極である。
【０００８】
そして、カラーフィルタ側基板６６の液晶６５側の面と反対側の面（図２（ｂ）では上面）に、タッチパネルT2の検出電極８１が直接的に形成されている。検出電極８１上に保護基板としてのガラス基板等から成る基板８２が設けられている。また、検出電極８１と外部の検出手段等との間で検出信号等の入出力を行うためのＦＰＣ８５が、カラーフィルタ側基板６６の上面の端部に設置されている。なお、８３は検出電極８１と端子電極８４を接続するための引き回し配線、８４は引き回し配線８３とＦＰＣ８５の回路配線とを電気的に接続するための端子電極である。
【０００９】
また図３は、静電容量型のタッチパネルT2の検出電極等を示す平面図である。検出電極８１は、カラーフィルタ側基板６６の上面のＸ方向（例えば、行方向）に伸びるように形成されたＸ検出電極線81Xと、Ｙ方向（例えば、列方向）に伸びるように形成されたＹ検出電極線81Yと、Ｘ検出電極線81XとＹ検出電極線81Yが短絡することを防ぐとともにＹ検出電極線81Yの電極部同士を接続するためのブリッジ電極81bと、を有している。端子電極８４群は、カラーフィルタ側基板６６の上面の端部に配置されている。
【００１０】
ＦＰＣ８５のタッチパネルT2と反対側の端部には、回路基板８７が接続されており、回路基板８７は、ＦＰＣ８５の回路配線を介して端子電極８４群と電気的に接続される端子電極８６群を有している。回路基板８７上には、ＩＣ，ＬＳＩ等から成る駆動制御部８８が設けられており、駆動制御部８８は、例えば、Ｙ検出電極線81Yに駆動パルスを走査しながら入力させる走査制御部88aと、Ｘ検出電極線81Xから出力された検出パルスを受信し指等の被検出体を検出する検出部88bと、を有している。
【００１１】
また、図４は、アクティブマトリクス型及びＩＰＳ型のＬＣＤの基本構成を示すブロック回路図である。例えば、ＬＣＤのアレイ側基板107は、その上の第１の方向（例えば、行方向）に形成された複数本のゲート信号線105（GL1，GL2，GL3・・・GLm）と、第１の方向と交差する第２の方向（例えば、列方向）にゲート信号線105と交差させて形成された複数本の画像信号線106（SL1，SL2，SL3・・・SLn）と、ゲート信号線105と画像信号線106の交差部に対応して配置された、ＴＦＴ素子101、画素電極（PE11,PE12,PE13・・・PEmn）及びその画素電極（PE11,PE12,PE13・・・PEmn）との間で液晶に印加する横電界を形成するための共通電極を含む画素部P11，P12，P13・・・Pmnと、共通電極に共通電圧（Vcom）を供給する共通電圧線102と、を有する構成である。また、103はゲート信号線駆動回路、104は画像信号（ソース信号）線駆動回路、110は表示部である。
【先行技術文献】
【特許文献】
【００１２】
【特許文献１】特開２０１０−１２８６７６号公報
【発明の概要】
【発明が解決しようとする課題】
【００１３】
上記従来のタッチパネルT1,T2について、図５に示すように、タッチパネル123が立てられた状態で使用される場合であって、検出面123pに水滴等の液滴124が付着し垂れて流れ落ちるときに、人の指との判別が難しくなるという問題点があった。すなわち、図５（ａ）のＡ部を拡大して示す図５（ｂ）の拡大正面図に示すように、液滴124は複数のＸ検出電極線81Xに重なって流れ落ちる。図５（ｂ）では、液滴124が２つのＸ検出電極線81Xa，81Xbに重なって流れ落ちる様子を示している。Ｘ検出電極線81Xがドライブ線であり、Ｙ検出電極線81Yがセンサ線である場合、Ｘ検出電極線81Xaに入力された駆動パルス91Xaは導電路IXaを流れるが、その駆動電流の一部が、導電性の高い液滴124の部位で、非駆動状態（接地状態）の隣のＸ検出電極線81Xbに、液滴124から成る導電路Iabを介して漏れ出る。その結果、液滴124が重なる、Ｘ検出電極線81Xaの電極部及びＸ検出電極線81Xbの電極部と、それらに隣接するＹ検出電極線81Yの電極部との間に形成される静電容量によって、Ｙ検出電極線81Yaの導電路IYaを流れる検出電流91Yaは、液滴124がない場合に対して導電路IXbを流れる電流の分だけ小さくなる。このように、静電容量型のタッチパネル123においては、駆動パルス91Xaによって生じる検出電流91Yaの大きさに基づき、非検出状態においてＹ検出電極線81Yを流れる基準の電流と検出電流91Yaとの差分を検出することによって、被検出体が接触しているか否かを判断する。
【００１４】
そして、液滴124が下方に伸びていき、液滴124がＸ検出電極線81Xと重なる本数がＸ検出電極線81Xa，81Xb，81Xcの３本、また４本と増えるに伴って、電流の漏れが大きくなるために、Ｙ検出電極線81Yaを流れる電流91Yaは低下していく。その結果、電流91Yaの低下量が閾値を超えると、人の指などの導電体が接触したとして、液滴124が誤検出されることになる。なお、図５（ａ）において、121はＬＣＤ、122はカラーフィルタ側基板である。
【００１５】
本発明は、上記の問題点に鑑みて完成されたものであり、その目的は、人の指などの意図された検出面への接触の検出と、検出面に水滴等の液滴が付着し流れ落ちる場合の検出と、を判別することが容易であり、液滴が指として誤検出されることを効果的に抑えることができるタッチパネルとすることである。
【課題を解決するための手段】
【００１６】
本発明のタッチパネルは、基板と、前記基板上の所定の方向に配置された複数本のセンサ線と、前記センサ線と電気的に絶縁された状態で、前記基板上に前記センサ線と交差させて配置された複数本のドライブ線と、を有しており、前記基板が立てられた状態で使用可能なタッチパネルであって、前記複数本のドライブ線は、立てられた状態の前記基板の縦方向に平行に配置されている構成である。
【００１７】
本発明のタッチパネルは、好ましくは、前記複数本のドライブを間引き走査する走査制御部を有している。
【００１８】
また本発明のタッチパネルは、好ましくは、前記走査制御部は、間引かれる前記ドライブ線を走査周期毎に異ならせて間引き走査する。
【００１９】
また本発明のタッチパネルは、好ましくは、前記走査制御部は、前記ドライブ線を一本おきに間引き走査する。
【００２０】
また本発明のタッチパネルは、好ましくは、前記複数本のドライブ線は、配置のピッチが３ｍｍ乃至１０ｍｍである。
【発明の効果】
【００２１】
本発明のタッチパネルは、基板と、基板上の所定の方向に配置された複数本のセンサ線と、センサ線と電気的に絶縁された状態で、基板上にセンサ線と交差させて配置された複数本のドライブ線と、を有しており、基板が立てられた状態で使用可能なタッチパネルであって、複数本のドライブ線は、立てられた状態の基板の縦方向に平行に配置されている構成であることから、以下の効果を奏する。基板上の検出面に水滴等の導電性の高い液滴が付着した場合、液滴は縦方向に伸びやすいが横方向には伸びにくいために、液滴が重なるドライブ線の数は増加しにくい。その結果、駆動パルスが液滴から成る導電路を介して漏れ出ることを抑えることができるので、センサ線を流れる検出電流と非検出状態でセンサ線を流れる基準の電流との差分が小さくなり、液滴が誤検出されにくくなる。
【００２２】
本発明のタッチパネルは、複数本のドライブ線を間引き走査する走査制御部を有している場合、液滴が重なるドライブ線の数を減少させることができる。その結果、センサ線を流れる検出電流と非検出状態でセンサ線を流れる基準の電流との差分がより小さくなり、液滴がより誤検出されにくくなる。
【００２３】
また本発明のタッチパネルは、走査制御部は、間引かれるドライブ線を走査周期毎に異ならせて間引き走査する場合、連続走査周期においてそのいずれにおいても液滴が重なるドライブ線の数をより減少させることができる。すなわち、ドライブ線を走査するある走査周期ではｎ本（ｎは自然数）のドライブ線に液滴が重なっている場合、次の走査周期では液滴がドライブ線に重なる本数をｎ−ｍ本（ｍは間引きの本数）に削減することも可能となる。その結果、連続する走査周期において上記差分が閾値を超えないようにすることがより容易になる。その結果、液滴がさらに誤検出されにくくなる。
【００２４】
また本発明のタッチパネルは、走査制御部は、ドライブ線を一本おきに間引き走査する場合、例えば、ドライブ線の奇数ラインを順次走査した後に偶数ラインを順次走査する場合、ある奇数ラインの走査とそれに隣接する偶数ラインの走査との間の時間間隔は、一画面の走査期間の半分以上の時間間隔となる。複数のドライブ線に重なる液滴は、ある程度の時間（数１０ミリ秒程度）をかけて流れ落ちるため、全ラインを１回走査し終わった時点で、上記差分が閾値を超えない程度の検出電流（液滴の接触により変化した電流）が流れるセンサ線の電極部の座標が異なったものとすることができる。これに対して、人の指の接触の場合、隣接する複数のセンサ線の電極部で、座標が変わることなく上記差分が閾値を超えた電流が流れやすい。従って、意図的な接触である人の指と、流れ落ちる液滴と、を判別することが容易になる。
【００２５】
また本発明のタッチパネルは、複数本のドライブ線は、配置のピッチが３ｍｍ乃至１０ｍｍである場合、人の指程度の大きさの液滴が重なるドライブ線の数を２本程度以下にすることが容易にでき、駆動パルスによって生じた検出電流の低下を抑えることが容易となるので、意図的な接触である人の指と、流れ落ちる液滴と、を判別することが容易になる。なお、人の指程度の大きさよりも大きい液滴は、タッチパネルの検出面に接している検出面積から人の指と区別することが容易になる。
【図面の簡単な説明】
【００２６】
【図１】図１(ａ)，（ｂ）は、それぞれ本発明のタッチパネルについて実施の形態の１例を示す図であり、（ａ）はタッチパネル付液晶表示装置のタッチパネルの部位を示す斜視図、（ｂ）は奇数番目のドライブ線を順次走査し次に偶数番目のドライブ線を順次走査するときの走査表である。
【図２】図２（ａ），（ｂ）は、それぞれ従来のタッチパネル付液晶表示装置の１例の側断面図である。
【図３】図３は、図２（ｂ）のタッチパネル付液晶表示装置におけるタッチパネルの検出電極等を示す平面図である。
【図４】図４は、従来の液晶表示装置の基本構成を示すブロック回路図である。
【図５】図５（ａ），（ｂ）は、従来のタッチパネル付液晶表示装置について検出面に水滴等の液滴が付着したときの問題点を説明するための図であり、（ａ）はタッチパネルの部位を示す斜視図、（ｂ）は（ａ）のＡ部を拡大して示す拡大正面図である。
【発明を実施するための形態】
【００２７】
以下、本発明のタッチパネルの実施の形態について、図面を参照しながら説明する。但し、以下で参照する各図は、本発明のタッチパネルの実施の形態における構成部材のうち、本発明のタッチパネルを説明するための主要部を示している。従って、本発明に係るタッチパネルは、図に示されていない回路基板、配線導体、制御ＩＣ，ＬＳＩ等の周知の構成部材を備えていてもよい。
【００２８】
図１(ａ)，（ｂ）は、それぞれ本発明のタッチパネルについて実施の形態の１例を示す図であり、（ａ）はタッチパネル付液晶表示装置のタッチパネルの部位を示す斜視図、（ｂ）は奇数番目のドライブ線（5y-1，5y-3，5y-5〜5y-ny-1）を順次走査し次に偶数番目のドライブ線（5y-2，5y-4，5y-6〜5y-ny）を順次走査するときの走査表である。これらの図に示すように、本発明のタッチパネル３は、ガラス基板等から成る基板（図１（ａ）ではカラーフィルタ側基板２）と、カラーフィルタ側基板２上の所定の方向（例えば、行方向）に配置された複数本のセンサ線５ｘと、センサ線５ｘと電気的に絶縁された状態で、カラーフィルタ側基板２上にセンサ線５ｘと交差させて配置された複数本のドライブ線５ｙと、を有しており、カラーフィルタ側基板２が立てられた状態で使用可能なタッチパネルであって、複数本のドライブ線５ｙは、立てられた状態のカラーフィルタ側基板２の縦方向に平行に配置されている構成である。この構成により、以下の効果を奏する。立てられた状態のカラーフィルタ側基板２上の検出面３ｐに水滴等の導電性の高い液滴が付着した場合、液滴は縦方向に伸びやすいが横方向には伸びにくいために、液滴が重なるドライブ線５ｙの数は増加しにくい。その結果、液滴から成る導電路を介して漏れ出ることを抑えることができるので、駆動パルスによって生じた検出電流が低下しにくくなり、意図的な接触である人の指と、流れ落ちる液滴と、を判別することが容易になる。
【００２９】
本発明のタッチパネル３は、投影型静電容量方式のものであり、基本的な構成は図３に示すものと同様であり、例えば以下のような構成である。例えば、カラーフィルタ側基板２の一面である液晶側の面と反対側の面に形成された、ドライブ線５ｙの電極部間を接続するためのブリッジ電極（中継電極）と、その上の透明絶縁体層と、透明絶縁体層上に形成された、所定の方向（例えば、行方向）に伸びるITO（Indium  Tin  Oxide  ；酸化インジウムスズ）透明電極等から成るセンサ線５ｘと、センサ線５ｘの電極部間を接続する接続部と、上記特定の方向と直交する方向（例えば、列方向）に伸びるITO透明電極等から成るドライブ線５ｙと、を有する構成である。この構成により、ドライブ線５ｙのブリッジ電極とセンサ線５ｘの接続部とは、透明絶縁体層を間に介して重なっているので、センサ線５ｘとドライブ線５ｙとは電気的に絶縁された状態となる。なお、図３に示すように、センサ線５ｘの矩形状の電極部とドライブ線５ｙの矩形状の電極部とは接していないので、センサ線５ｘの電極部とドライブ線５ｙの電極部は電気的に絶縁されている。そして、ドライブ線５ｙのブリッジ電極５ｂは、ドレイブ線５ｙの電極部とコンタクトホール等によって接続される。これにより、人の指先等の静電的な導電体が静電容量検出領域に近づいたときのドライブ線５ｙの電極部とセンサ線５ｘの電極部との静電結合による静電容量の変化を捉えることができる。そして、静電容量の変化が生じた、ドライブ線５ｙの電極部とセンサ線５ｘの電極部を、外部の制御IC（Integrated  Circuit）、制御LSI（Large  Scale  Integrated  Circuit）等によって特定することにより、静電容量検出領域における静電容量が変化した位置を、２次元的に、即ち平面内において特定することができる。
【００３０】
図１の例では、ＬＣＤ１のカラーフィルタ側基板２上にセンサ線５ｘとドライブ線５ｙが直接的に配置されているが、センサ線５ｘとドライブ線５ｙが配置される基板としては、図２（ａ）に示すようにタッチパネル専用の基板であってもよい。
【００３１】
また、センサ線５ｘとドライブ線５ｙが配置される基板は、立てられた状態で使用可能なものであるが、立てられた状態あるいは傾斜した状態で使用される基板と水平面とのなす傾斜角度は、基板に付着した液滴が流れ落ちるような傾斜角度であり、好適には３０度乃至９０度程度である。より好適には４５度乃至９０度程度、さらに好適には６０度乃至９０度程度である。基板が立てられた状態で使用可能なタッチパネルが付属する電気機器としては、例えば、自動車経路誘導システム（カーナビゲーションシステム）、船舶経路誘導システム、航空機経路誘導システム、魚群探知機、医療機器、計測機器、パーソナルコンピュータ、自動販売機などがある。なお、基板が立てられていない状態で使用可能なタッチパネルであっても、基板が立てられた状態で使用可能であれば本発明のタッチパネルの範疇に入る。
【００３２】
本発明のタッチパネル３は、複数本のドライブ線を間引き走査する走査制御部を有していることが好ましい。この走査制御部は、図３に示す走査制御部88aと同様である。すなわち、走査制御部88aは、例えばＩＣ，ＬＳＩ等から成る駆動制御部８８に含まれており、駆動制御部８８の制御領域の一つである。なお、駆動制御部８８は、ドライブ線５ｙに駆動パルス（ドライブパルス）を走査しながら入力させる走査制御部88aと、センサ線５ｘから出力された検出パルスを受信し指等の被検出体を検出する検出部88bと、を有している。また、走査制御部は、人の指等の導電体を検出していない非検出状態で間引き走査し、人の指等の導電体を検出したら全ドライブ線の順次走査を行うことが好ましい。この場合、人の指等の導電体を位置精度を維持して検出できる。
【００３３】
また本発明のタッチパネル３は、走査制御部は、間引かれるドライブ線５ｙを走査周期毎に異ならせて間引き走査することが好ましい。この場合、連続走査周期においてそのいずれにおいても液滴が重なるドライブ線５ｙの数をより減少させることができる。すなわち、ドライブ線５ｙを走査するある走査周期ではｎ本（ｎは自然数）のドライブ線５ｙに液滴が重なっている場合、次の走査周期では液滴がドライブ線５ｙに重なる本数をｎ−ｍ本（ｍは間引きの本数）に削減することも可能となる。その結果、連続する走査周期において上記差分が閾値を超えないようにすることがより容易になる。その結果、液滴がさらに誤検出されにくくなる。なお走査周期とは、検出面３ｐにおける全ドライブ線５ｙを一ラインずつ走査するのに要する時間である。また、間引き走査する場合、間引く本数の分だけ走査期間を短くすることができる。
【００３４】
また、走査制御部は、間引かれるドライブ線５ｙの本数を走査周期毎に異ならせて間引き走査することもできる。例えば、検出面３ｐにおいて何も検出されない状態が継続する場合、間引かれるドライブ線５ｙの本数を多くして走査し、その状態を維持し、被検出体が検出された場合、間引き走査を停止したり、間引かれるドライブ線５ｙの本数を少なくして走査することがよい。この場合、タッチパネル３の消費電力を抑えることができる。
【００３５】
また本発明のタッチパネル３は、走査制御部は、間引かれるドライブ線５ｙを走査周期毎に異ならせて間引き走査するとともに、ドライブ線５ｙを一本おきに間引き走査することが好ましい。この場合、例えば、ドライブ線５ｙの奇数ラインを順次走査した後に偶数ラインを順次走査する場合、ある奇数ラインの走査とそれに隣接する偶数ラインの走査との間の時間間隔は、一画面の走査期間の半分以上の時間間隔となる。複数のドライブ線５ｙに重なる液滴は、ある程度の時間（数１０ミリ秒程度）をかけて流れ落ちるため、全ラインを１回走査し終わった時点で、上記差分が閾値を超えない程度の検出電流（液滴の接触により変化した電流）が流れるセンサ線５ｘの電極部の座標が異なったものとすることができる。これに対して、人の指の接触の場合、隣接する複数のセンサ線５ｘの電極部で、座標が変わることなく上記差分が閾値を超えた電流が流れやすい。従って、意図的な接触である人の指と、流れ落ちる液滴と、を判別することが容易になる。図１（ｂ）は、ドライブ線5y-1，5y-2，5y-3，5y-4，5y-5〜5y-nyを、ドライブ線５ｙを一本おきに間引き走査する場合において、ドライブ線５ｙの走査順を示す走査表である。複数のドライブ線５ｙのうち奇数ラインを順次走査した後に偶数ラインを順次走査する。また、その逆に偶数ラインを順次走査した後に奇数ラインを順次走査してもよい。
【００３６】
また本発明のタッチパネル３は、複数本のドライブ線５ｙは、配置のピッチが３ｍｍ乃至１０ｍｍであることが好ましい。この場合、人の指程度の大きさの液滴が重なるドライブ線の数を２本程度以下にすることが容易にでき、検出パルスのピーク値の低下を抑えることが容易となるので、人の指と液滴とを判別することが容易になる。検出面３ｐに接触した人の指の部位は、直径が３ｍｍ乃至１０ｍｍ程度の円形状、あるいは最大径が３ｍｍ乃至１０ｍｍ程度の楕円形状となる。従って、ドライブ線５ｙの配置のピッチを３ｍｍ乃至１０ｍｍ程度とすると、検出面３ｐに接触した人の指の部位が重なるドライブ線５ｙの数が１本〜２本程度となり、人の指を検出するのに検出の位置精度が最適なピッチとなる。また、この場合、検出面３ｐに接触した人の指と同程度の大きさの液滴が付着し、液滴が縦方向の下方に垂れて流れた場合も、それが重なるドライブ線５ｙの数も１本〜２本程度となり、液滴が互いに隣接するドライブ線５ｙに重なることにより漏れ出る電流の低下を抑えることが容易となる。なお、人の指程度の大きさよりも大きい液滴は、タッチパネル３の検出面３ｐに接している検出面積が大きくなることから、検出面積の違いに基づいて人の指と区別することが可能である。ドライブ線５ｙの配置のピッチが３ｍｍ未満である場合、被検出体の検出の位置精度は向上するが、液滴が重なるドライブ線５ｙの数が増加するので液滴を介した漏れ電流が大きくなり、誤検出が生じやすくなる傾向がある。また、検出電極が多くなることにより走査時間が長くなり、タッチパネルの応答時間も長くなる。ドライブ線５ｙの配置のピッチが１０ｍｍを超える場合、被検出体の検出の位置精度が低下する傾向がある。より好ましくは、ドライブ線５ｙの配置のピッチは４ｍｍ乃至７ｍｍ程度がよい。
【００３７】
なお、本発明のタッチパネルは、上記実施の形態に限定されるものではなく、適宜の設計的な変更、改良が施されていてもよい。
【産業上の利用可能性】
【００３８】
本発明のタッチパネルは各種の表示装置に付属させることができる。その表示装置としては、ＬＣＤ、有機ＥＬ（Electro  Luminescence）表示装置、無機ＥＬ表示装置、ＰＤＰ（Plasma  Display）などがある。また、本発明のタッチパネルが付属する表示装置がＬＣＤである場合、そのＬＣＤとしては、ＴＮ（Twisted  Nematic）方式、インプレーンスイッチング（In-plane  Switching  :ＩＰＳ）方式、フリンジフィールドスイッチング（Fringe  Field  Switching  ：ＦＦＳ）方式のものなどを採用できる。
【符号の説明】
【００３９】
１  液晶表示装置
２  カラーフィルタ側基板
３  タッチパネル
３ｐ  検出面
5x-1〜5x-nx  センサ線
5y-1〜5y-ny  ドライブ線
【図１】
2017156903.tif 000003
【図２】
2017156903.tif 000004
【図３】
2017156903.tif 000005
【図４】
2017156903.tif 000006
【図５】
2017156903.tif 000007